(57)【特許請求の範囲】
【請求項１】
光学ヘッドからの光ビームを用いてディスク記録を行う光ディスク記録装置における光学ヘッドの発光出力を制御する光ディスク記録装置の光学ヘッド発光出力制御装置であって、ディスクを読み取ったＲＦ信号からオフセット成分を除去するハイパスフィルタと、該ハイパスフィルタの出力を一定レベルに制御するオートゲインコントロール回路と、該オートゲインコントロール回路からの出力のオフセット成分を生成するローパスフィルタとを備え、該ローパスフィルタの出力に応じて光学ヘッドの発光出力を制御することを特徴とする光ディスク記録装置の光学ヘッド発光出力制御装置。
【請求項２】
光学ヘッドの光源から出射される光ビームを回折して信号書き込みを行うメインビームより後行のサブビームをディスク上に形成し、ディスクの記録動作中において、光学ヘッドの発光出力が記録レベル及び再生レベルの一方の所定レベルになった期間に前記サブビームによりディスクからＲＦ信号を読み取ることを特徴とする請求項１記載の光ディスク記録装置の光学ヘッド発光出力制御装置。
【発明の詳細な説明】
【０００１】
【発明の属する技術分野】
本発明は、光学ヘッドからの光ビームを用いてディスク記録を行う光ディスク記録装置における光学ヘッドの発光出力を制御する光ディスク記録装置の光学ヘッド発光出力制御装置に関し、特に、ディスクにおける記録感度のバラツキに対応して光学ヘッドの発光出力を補正して記録するようにした光ディスク記録装置の光学ヘッド発光出力制御装置に関する。
【０００２】
【従来の技術】
光学ヘッドからの光ビームを用いてディスクにデジタルのデータ信号を記録する光ディスク記録装置としては、ＣＤ（Compact Disc）ファミリーのＣＤ−Ｒ（Recordable）及びＣＤ−ＲＷ（ReWritable）に対応するＣＤ−Ｒ／ＲＷドライブが良く知られており、この光ディスク記録装置においては、記録速度の高速化が図られている。
【０００３】
現在、ＣＤ−Ｒの記録速度は最高速が定格速度の４０倍速や４８倍速にまで対応され、ＣＤ−ＲＷの記録速度は最高速が定格速度の１６倍速にまで対応されており、特に、ＣＤ−Ｒの場合、高速化のためにディスクの回転速度が角速度一定に制御されるＣＡＶ（Constant  Angular  Velocity）方式、あるいはディスクのゾーン毎に速度の異なる線速度一定に制御されるＺＣＬＶ（Zone  Constant  Linear  Velocity）方式が一般的に採用される。
【０００４】
ところで、このような光ディスク記録装置により記録されるディスクは、メーカーや速度対応グレードにより使用する材質が相違し、それにより記録感度が相違したり、あるいは個体差により記録感度が相違したり、同一ディスク内でもムラにより記録部位で記録感度が相違することも考えられる。
【０００５】
その為、光ディスク記録装置においては、記録時に光学ヘッドから出射される発光出力がそれらの記録感度差を補償するべく制御され、光学ヘッドの発光出力がディスクの記録に最適な最適記録レベルに設定される。
【０００６】
この光学ヘッドの発光出力の設定は、記録開始時において、ディスクにおける実際のデータ信号を記録するプログラムエリアとは別に設けられた発光出力設定用のキャリブレーションエリアに発光出力を段階的に変化させてテスト信号を試し書きし、そのテスト信号を光学ヘッドにより読み取って再生されるＲＦ（radio frequency）信号からオフセットを除去したプラス側及びマイナス側のそれぞれの振幅値Ａ及びＢを用いてβ値（記録の深さ）＝（Ａ−Ｂ）／（Ａ＋Ｂ）を検出して行われる。
【０００７】
また、ディスク記録の動作中においては、記録パルスの反射レベルを検出したり、あるいは記録に用いる光ビームより時間的に手前に位置する別の光ビームによりディスクに記録された記録マークを検出して、光学ヘッドの発光出力を最適記録レベルに制御する、いわゆるランニングＯＰＣ（Optimum  Power  Control）が行われる。
【０００８】
【発明が解決しようとする課題】
ところで、従来の光学ヘッド発光出力制御装置において、このランニングＯＰＣは、ＲＦ信号のピークホールド及びボトムホールドによりプラス側及びマイナス側のそれぞれの振幅値Ａ及びＢを検出し、これらの振幅値Ａ及びＢをそれぞれデジタルに変換した後、マイコンによって演算してβ値を検出することが一般に行われていた。
【０００９】
しかしながら、前述の光学ヘッド発光出力制御装置において、マイコンの演算処理時間の制限により、また、振幅値Ａ及びＢをデジタル変換する等の関係から、ディスクからＲＦ信号が読み出されてからβ値が検出されるまでの時間遅れが発生し、ディスク記録の高速化に対応できない問題があった。
【００１０】
【課題を解決するための手段】
本発明は、ディスクを読み取ったＲＦ信号からオフセット成分を除去するハイパスフィルタと、該ハイパスフィルタの出力を一定レベルに制御するオートゲインコントロール回路と、該オートゲインコントロール回路からの出力のオフセット成分を生成するローパスフィルタとを備え、該ローパスフィルタの出力に応じて光学ヘッドの発光出力を制御するようにしている。すなわち、オフセット成分を除去したＲＦ信号をオートゲインコントロール回路により一定レベルに制限してＲＦ信号のプラス側及びマイナス側のそれぞれの振幅値Ａ及びＢを加算した振幅値（Ａ＋Ｂ）を一定にし、更に、一定レベルに制限されたＲＦ信号のオフセット成分をローパスフィルタにより抽出し、これにより一定レベルに制限されたＲＦ信号のプラス側及びマイナス側のそれぞれの振幅値Ａ及びＢの差分値（Ａ−Ｂ）を生成する。その為、このＲＦ信号の振幅値Ａ及びＢの差分値（Ａ−Ｂ）はβ値に相当するので、ローパスフィルタの出力に応じて光学ヘッドの発光出力を制御することで光学ヘッドの発光出力を最適記録レベルに設定するようにしている。
【００１１】
【実施例】
図１は本発明に係る光ディスク記録装置の光学ヘッド発光出力制御装置の一実施例を示す回路ブロック図、図２は図１の動作を説明するための信号波形図、図３は光学ヘッドにおける各光ビームのディスク上での照射位置を説明する説明図である。
【００１２】
光学ヘッド１から出射される光ビームは、回折されて回折光の０次ビームが記録信号の書き込みを行うメインビームとしてディスクに照射され、回折光の±１次ビームがトラッキング制御に用いられる先行及び後行の各サブビームとしてディスクに照射される。
【００１３】
それらの各ビームは、図３に示す如く、メインビームが照射されてディスク上に形成されるメインスポットＳｍが信号トラックｎ上に正しく配置される状態において、先行のサブビームが照射されてディスク上に形成されるサブスポットＳｓ１は内周側の半分が信号トラックｎに、外周側の半分が信号トラックｎと外周側の隣接信号トラック（ｎ＋１）との間にそれぞれ投影されるように配置され、後行のサブビームが照射されてディスク上に形成されるサブスポットＳｓ２は外周側の略半分が信号トラックｎに、内周側の略半分が信号トラックｎと内周側の隣接信号トラック（ｎ−１）との間にそれぞれ投影されるように配置される。
【００１４】
光学ヘッドにはメインビーム及び各サブビームがディスクにより反射される各反射光を受光する光検出器が備えられ、この光検出器は前記メインビーム及び前記各サブビームの各反射光をそれぞれ受光するメイン受光領域A及び一対のサブ受光領域B，Cを備えている。
【００１５】
前記メイン受光領域Aはディスクの信号トラック方向とその直交方向にそれぞれ対応する方向の分割線により４分割されており、その各分割領域はそれぞれ受光量に対応してＲＦ信号、フォーカスエラー信号、及びトラッキングエラー信号を生成するのに用いられる各受光出力を発生する。
【００１６】
また、一対のサブ受光領域B，Cはディスクの信号トラック方向に対応する方向の分割線によりそれぞれ２分割されており、その分割された前記サブ受光領域B，Cの各分割領域はそれぞれ受光量に対応してトラッキングエラー信号を生成するのに用いられる各受光出力を発生する。
【００１７】
光学ヘッド１の光検出器の各種受光出力はフロントエンド処理回路２に供給され、このフロントエンド処理回路２はディスクから読み取られるＲＦ信号を生成し、そのＲＦ信号を最適レベルにゲインコントロールすると共に、各種ディスクに応じてイコライジングして２値データ化し、かつ、光学ヘッド１からディスクに照射されるレーザービームのディスク信号面とのフォーカス誤差を示すフォーカスエラー信号、及び前記レーザービームのディスクの信号トラックとのトラッキング誤差を示すトラッキングエラー信号を生成する。
【００１８】
尚、フォーカスサーボには非点収差方式が採用され、トラッキングサーボには差動プッシュプル方式が採用されている。
【００１９】
ところで、メインビームより後行のサブビームの反射光には、トラッキング制御に関わる信号成分が含まれる他に、メインビームにより記録された記録信号成分、この場合は信号トラックｎの記録信号成分が含まれている。
【００２０】
その為、前記サブビームの反射光を用いてディスクの信号トラックに記録された記録信号を読み取ったＲＦ信号を抽出することが出来る。
【００２１】
ここで、メインビームのオントラック状態において、サブスポットＳｓ２は外周側の半分が信号トラックｎ上に配置されているので、サブ受光領域Cの一方の分割領域における受光出力ｃ１はＲＦ信号成分含んだものとなる。
【００２２】
フロントエンド処理回路２はこのサブ受光領域Cの受光出力ｃ１によりＲＦ信号を生成する。
【００２３】
前記サブ受光領域Cの受光出力ｃ１により生成されたＲＦ信号は、ハイパスフィルタ（ＨＰＦ）３に供給され、このハイパスフィルタ３によりオフセット成分が除去された後、オートゲインコントロール回路（以下、ＡＧＣ回路）４により一定レベルに制御される。
【００２４】
このＡＧＣ回路４により一定レベルに制限されたＲＦ信号は、更にローパスフィルタ（ＬＰＦ）５に供給され、このローパスフィルタ５によりオフセット成分が生成される。
【００２５】
ここで、ローパスフィルタ５により生成されるオフセット成分は、ＡＧＣ回路４により一定レベルに制限されたＲＦ信号のプラス側及びマイナス側のそれぞれの振幅値Ａ及びＢの差分値（Ａ−Ｂ）で検出され、前記差分値（Ａ−Ｂ）がゼロの状態において、図２（イ）に示す如く、ＡＧＣ回路４から出力されるＲＦ信号はオフセット電圧が「０」となり、前記差分値（Ａ−Ｂ）がマイナスの状態において、図２（ロ）に示す如く、ＡＧＣ回路４から出力されるＲＦ信号はプラスレベルのオフセット電圧「＋ａ」となり、前記差分値（Ａ−Ｂ）がプラスの状態において、図２（ハ）に示す如く、ＡＧＣ回路４から出力されるＲＦ信号はマイナスレベルのオフセット電圧「−ｂ」となる。
【００２６】
ローパスフィルタ５により生成されたオフセット成分は、オートパワーコントロール回路（以下、ＡＰＣ回路）６の制御信号として供給され、ＡＰＣ回路６は前記オフセット電圧に応じて光学ヘッド１のレーザー光源を駆動するレーザードライバ７を制御し、光学ヘッド１の発光出力を最適記録レベルに制御する。
【００２７】
ところで、ハイパスフィルタ３によりオフセット成分を除去したＲＦ信号をＡＧＣ回路４により一定レベルに制御すると、フロントエンド処理回路２から出力されるＲＦ信号のレベル変動に関わらず、ＲＦ信号のボトムレベルからピークレベルまでの振幅、すなわち、そのＲＦ信号のプラス側及びマイナス側のそれぞれの振幅値Ａ及びＢを加算した振幅値（Ａ＋Ｂ）は一定となる。
【００２８】
そして、ローパスフィルタ５により抽出されるＲＦ信号のオフセット成分は、ＡＧＣ回路４から得られる一定レベルに制限されたＲＦ信号のプラス側及びマイナス側のそれぞれの振幅値Ａ及びＢの差分値（Ａ−Ｂ）である。
【００２９】
その為、ローパスフィルタ５により抽出されるＲＦ信号のオフセット成分は、β値＝（Ａ−Ｂ）／（Ａ＋Ｂ）に相当する。
【００３０】
したがって、ローパスフィルタ５により抽出されるＲＦ信号のオフセット成分に対応させてＡＰＣ回路６を制御することにより光学ヘッド１の発光出力を最適記録レベルに設定することが出来る。
【００３１】
ところで、メインビームによりディスクに記録信号を記録している記録動作中において、時間的に後方のサブビームによりＲＦ信号は取り出される。
【００３２】
ディスクの記録動作中においては、ディスクに記録する記録信号レベルに応じて光学ヘッド１の発光出力を変化させるために後行のサブビームのレーザー光量もその記録信号レベルに応じて変化するので、光学ヘッド１の発光出力が記録レベル及び再生レベルの一方の所定レベルになった期間に前記サブビームにより読み取られたＲＦ信号をサンプルするようにしている。その為、前記サブビームによりメインビームで直前に実際に記録された記録信号に対応したＲＦ信号がレベル変化なく得られる。
【００３３】
したがって、ディスクの記録動作中において、メインビームにより直前に実際に記録された記録信号の記録状態に応じたβ値に相当するオフセット電圧がローパスフィルタ５から出力され、光学ヘッド１の発光出力がディスク記録に最適な最適記録レベルに制御される。
【００３４】
【発明の効果】
以上のとおり、本発明は、ディスクを読み取ったＲＦ信号から光学ヘッドの発光出力を制御する制御信号を得るのに、デジタル信号に変換したり、マイコンの演算を必要としないので、フィルタ回路による時定数はあるもののマイコンの演算を用いる方式に比べて高速化を達成して光学ヘッドの発光出力を最適記録レベルに制御することが出来る。
【００３５】
また、ディスクの記録動作中に、直前に実際に記録された記録信号からＲＦ信号を読み取るようにしているので、高速記録時のランニングＯＰＣに用いるのに有利である。
【図面の簡単な説明】
【図１】本発明に係る光ディスク記録装置の光学ヘッド発光出力制御装置の一実施例を示す回路ブロック図である。
【図２】図１の動作を説明するための信号波形図である。
【図３】光学ヘッドにおける各光ビームのディスク上での照射位置を説明する説明図である。
【符号の説明】
１          光学ヘッド
２          フロントエンド処理回路
３          ハイパスフィルタ
４          オートゲインコントロール回路
５          ローパスフィルタ
６          オートパワーコントロール回路
【図１】
0003723529.tif 000002
【図２】
0003723529.tif 000003
【図３】
0003723529.tif 000004